(57)【要約】【課題】  情報の統合管理を行ない易くする画像記録媒体、またその統合管理を行うときに役立つ画像表示装置、それら画像記録媒体と画像表示装置とを備えたデジタルカメラを提供すること。【解決手段】  画像のヘッダに取出し自在にサーバを示すＵＲＬを書き込み、画像内にＵＲＬを埋め込む。この画像をクライントであるデジタルカメラ１で再生するときにこのＵＲＬを取出し、このＵＲＬを画像とともに表示画面に表示する。ＵＲＬが指定されたらサーバ２００にアクセスし、サーバ２００側の情報を取得し、その取得した情報をデジタルカメラ１の表示画面に表示する。【選択図】図５
2005080186.tif 000002
【特許請求の範囲】
【請求項１】
画像が記録された画像記録媒体において、
前記画像に、ＵＲＬが該ＵＲＬ単独での取出しが自在な形式で埋め込まれてなることを特徴とする画像記録媒体。
【請求項２】
前記画像が暗号化されたものであり、前記ＵＲＬが該画像暗号化用の鍵の存在場所を示すＵＲＬであることを特徴とする請求項１記載の画像記録媒体。
【請求項３】
前記画像がヘッダを有し、前記ＵＲＬは該ヘッダに書き込まれてなることを特徴とする請求項１記載の画像記録媒体。
【請求項４】
被写体像を捉えてデータ上の画像を生成し該画像を画像記録媒体に記録するデジタルカメラにおいて、
前記画像記録媒体に記録された画像にＵＲＬを埋め込む手段を備えたことを特徴とするデジタルカメラ。
【請求項５】
前記メモリカードに記録された画像を表示する画像表示手段と、
前記メモリカードに記録された画像に埋め込まれたＵＲＬで示されるサーバから情報を取得する通信手段とを備え、
前記画像表示手段は、さらに、前記通信手段で取得された情報を表示するものであることを特徴とする請求項４記載のデジタルカメラ。
【請求項６】
ＵＲＬが埋め込まれた画像を取得する画像取得手段と、
前記画像取得手段で取得した画像を表示する画像表示手段と、
前記画像取得手段で取得した画像に埋め込まれたＵＲＬで示されるサーバから情報を入手する通信手段とを備え、
前記画像表示手段は、さらに、前記通信手段で取得された情報を表示するものであることを特徴とする画像表示装置。
【発明の詳細な説明】
【技術分野】
【０００１】
本発明は、画像が記録された画像記録媒体、被写体像を捉えてデータ上の画像を生成しその画像を画像記録媒体に記録するデジタルカメラ、および画像記録媒体に記録された画像データを再生し画像を表示画面上に表示させる画像表示装置に関する。
【背景技術】
【０００２】
パーソナルコンピュータ（以下ＰＣという）などをネットワークに接続することによりそのネットワーク上にある多数のデータベースにアクセスして情報検索を行なうことが可能である。また、近年ではＰＣもノート型のように携帯することができるようになっており、携帯電話や広域ＬＡＮなどを組み合わせればどのような場所からでもネットワークへのアクセスを行なえる。
【０００３】
ところで旅先でその思い出にデジタルカメラで撮影した画像と、その旅先の情報たとえば旅先のホテル名などが公開されているホームページの中の情報とを結び付け、情報の統合管理を行いたい場合がある。このような場合、ノート型のＰＣと携帯電話を携帯していれば、そのノート型ＰＣを携帯電話に接続してサーバから情報を取得し、さらにノート型のＰＣにデジタルカメラを接続して、撮影した画像をＰＣに取り込み、サーバから取り出した情報と撮影した画像とをＰＣ上で結びつけ、情報の統合管理を行うことができる。このようなものの中には、文書形態の異なるものを統合管理するものがある（例えば特許文献１参照）。
【０００４】
しかしながら、自宅に帰ってその統合管理した情報を編集したい場合には、旅先で情報を取得したサーバと同じサーバから情報を取得し直されなければならないことが生じることがあり、編集作業が煩雑になってしまうといった問題がある。
【特許文献１】特開２０００−２４５１３９号公報
【発明の開示】
【発明が解決しようとする課題】
【０００５】
本発明は、上記事情に鑑み、情報の統合管理を行ない易くする画像記録媒体、またその統合管理を行うときに役立つ画像表示装置、それら画像記録媒体と画像表示装置とを備えたデジタルカメラを提供することを目的とする。
【課題を解決するための手段】
【０００６】
上記目的を達成する本発明の画像記録媒体は、画像が記録された画像記録媒体において、
上記画像に、ＵＲＬがそのＵＲＬ単独での取出しが自在な形式で埋め込まれてなることを特徴とする。
【０００７】
上記本発明の画像記録媒体によれば、画像にＵＲＬ（ｕｎｉｆｏｒｍ  Ｒｅｓｏｕｒｃｅ  Ｌｏｃａｔｏｒの略）いわゆるインターネットアドレスを埋め込むことによってそのＵＬＲで示されるサーバが持つデータベースの中の情報と画像とが統合管理される。
【０００８】
そうするとこの画像記録媒体さえ持っていれば、画像とその画像にまつわる情報とを統合管理することができる。
【０００９】
ここで、上記画像が暗号化されたものであり、上記ＵＲＬがその画像暗号化用の鍵の存在場所を示すＵＲＬであることが好ましい。
【００１０】
上記ＵＲＬが、上記画像が暗号化されたときの鍵の存在場所を示すものであると、その鍵がその鍵を持つ場所から発行されない限り、暗号化された画像が復号化されない。たとえばこのメモリカードが装填されたＰＣなどの情報機器がクライアントとなって公開ネットワーク上のサーバに接続されたときに、その鍵の存在場所となるサーバから鍵が発行されない限り、その画像が復号化されない。このような仕組みを持つことで、安全に統合管理された情報を扱うことができる。
【００１１】
上記画像がヘッダを有し、上記ＵＲＬはそのヘッダに書き込まれてなることが好ましい。
【００１２】
そうすると暗号化された画像には関係なく、ＰＣなどの情報機器に上記画像記録媒体が装填されたときに暗号化されていないＵＲＬがヘッダから取り出され、そのＵＲＬが示すサーバとの接続が確立した後で画像が復号化される。
【００１３】
また、上記目的を達成する本発明のデジタルカメラは、被写体像を捉えてデータ上の画像を生成しその画像を画像記録媒体に記録するデジタルカメラにおいて、
上記画像記録媒体に記録された画像にＵＲＬを埋め込む手段を備えたことを特徴とする。
【００１４】
上記本発明のデジタルカメラによれば、自分の撮影した画像と関連のあるデータベースのＵＲＬが自在に上記画像記録媒体に記録された画像に埋め込まれ、自分の撮影した画像と関連のあるデータベースの情報とが上記画像記録媒体に記録され、統合管理される。そうすると撮影者は撮影した画像だけでなく、その画像にまつわる情報を持つサーバのＵＲＬを記録するだけで自分の撮影した画像とデータベースの情報とを統合管理することができる。
【００１５】
また、上記本発明のデジタルカメラは、上記画像記録媒体に記録された画像を表示する画像表示手段と、
上記画像記録媒体に記録された画像に埋め込まれたＵＲＬで示されるサーバから情報を取得する通信手段とを備え、
上記画像表示手段は、さらに上記通信手段で取得された情報を表示するものであることが望ましい。
【００１６】
このように上記本発明のデジタルカメラが上記通信手段、上記画像表示手段を備えていると、携帯電話を繋ぐことなく、デジタルカメラでサーバから情報を取得することができ、上記画像表示手段で情報を閲覧することができる。そうすると情報の統合管理をデジタルカメラで行なえる。
【００１７】
また目的を達成する本発明の画像表示装置は、ＵＲＬが埋め込まれた画像を取得する画像取得手段と、前記画像取得手段で取得した画像を表示する画像表示手段と、前記画像取得手段で取得した画像に埋め込まれたＵＲＬで示されたサーバから情報を入手する通信手段とを備え、
前記画像表示手段は、さらに前記通信手段で取得された情報を表示するものであることを特徴とする。
【００１８】
上記画像表示装置によれば、上記メモリカードに記録された画像を取得し、その取得した画像を記画像表示手段に表示させ、その画像に関連のある情報を上記通信手段で入手したときには、その情報をその画像表示手段に表示させることもできる。
【００１９】
そうすると、上記画像記録媒体があれば、その画像記録媒体に記録されたＵＲＬの埋め込まれた画像をこの画像表示装置に表示させ、この画像表示装置が備える通信手段を使ってサーバにアクセスした後、鍵を受け取り、画像を複号化させることができる。
【００２０】
このように上記画像記録媒体、上記デジタルカメラ、上記画像表示装置いずれも携帯機器になるため、その画像記録媒体とデジタルカメラあるいは画像表示装置があれば、いつでもどこでも統合管理された情報を得ることも、データベース上の情報と自分の撮影した画像とを統合して情報を管理することもできる。
【発明の効果】
【００２１】
以上、説明したように、本発明によれば、情報の統合管理を行ない易くする画像記録媒体、またその統合管理を行うときに役立つ画像表示装置、それら画像記録媒体と画像表示装置とを備えたデジタルカメラを提供することができる。
【発明を実施するための最良の形態】
【００２２】
以下、本発明の実施形態であるデジタルカメラを、図を参照して説明する。
【００２３】
図１（ａ），（ｂ）は、デジタルカメラの外観を示す図である。図１（ａ）には前方斜め上方から見た斜視図が示されており、図１（ｂ）には後方斜め上方から見た斜視図が示されている。
【００２４】
図１（ａ）に示すようにカメラボディ１ａの中央にレンズ鏡胴１１を備えており、その上方にファインダ１２を備えている。またファインダ１２の隣には閃光発光窓１３が備えられており、カメラボディ１ａ上部にはレリーズ釦１４が備えられている。
【００２５】
カメラボディ１ａの側面には、カメラボディに装填される画像記録媒体ここではメモリカードが着脱自在に挿入される挿入口１６ａが設けられている。この挿入口１６ａからメモリカード１７が挿入され、撮影された画像がこのカード挿入室１６に挿入されたメモリカード１７に記録される。
【００２６】
本実施形態のデジタルカメラ１は再生モードと撮影モードを有しており、それらの切り替えはカメラボディ上部にあるモード切替スイッチ１５によって行なわれる。
【００２７】
また図１（ｂ）に示すようにカメラボディ１背面には表示装置１８が備えられており、その表示装置の横には十字キー他スイッチ類１９が配備されている。
【００２８】
このデジタルカメラの内部の構成を、図２を参照して説明する。
【００２９】
図２はこのデジタルカメラ１の内部に配備された信号処理部の構成を示す図である。図２にはメモリカード１９に記録された画像にＵＲＬを書き込むときの処理系統が主に示されている。
【００３０】
図２に示すように、このデジタルカメラ１の動作は統括的にＣＰＵ１００によって制御される。
【００３１】
モード切替スイッチ１５が撮影モードに切り換えられたときには、撮像装置１０１で撮影した画像がＣＰＵ１００の指示に応じて記録装置１０２によってメモリカード１９に記録される。またモード切替スイッチ１５が再生モードに切り換えられたときにはメモリカード１９に記録された画像の中からいずれかの画像が再生装置１０３によって再生され、その再生された画像が表示装置１８の表示画面に表示される。
【００３２】
またこのデジタルカメラ１は通信装置１０４を備えており、その通信装置１０４がネットワークに接続され、ネットーワーク上の他の情報機器との通信が行なわれる。
【００３３】
本実施形態のデジタルカメラ１には、メモリカード１７内に記憶された画像のヘッダにＵＲＬを書き込むＵＲＬ入力装置１０６が備えられている。このＵＲＬ入力装置１０６もＣＰＵ１００により制御されており、ＵＲＬがＵＲＬ入力装置１０６によって入力されると、そのＵＲＬが画像ヘッダ作成部１０７に供給され、この画像ヘッダ作成部１０７で作成されたＵＲＬ１７１ａがメモリカード１７内の画像のヘッダ１７１に書き込まれる。この書き込みによってＵＲＬが画像に埋め込まれる。
【００３４】
図３は図１に示すメモリカード１７内に記録された画像１７０の構成を示す図である。
【００３５】
図３に示すようにこのデジタルカメラ１で撮影した画像１７０は、情報量が圧縮されてメモリカード１７に記録されている。図３にはヘッダ１７１とそのヘッダ１７１内にあるＵＲＬと、そのヘッダ１７１内にある圧縮情報に基づいて圧縮された圧縮画像１７２とが示されている。この圧縮画像１７２を再生する際、その圧縮の具合を示す情報がないとこの画像の再生を行なえないので、この画像の圧縮情報などがヘッダ１７１から先に読み込まれ、圧縮画像が伸張されて画像が再生される。
【００３６】
この画像よりも先にデジタルカメラ内部に読み込まれるヘッダ１７１にＵＲＬ１７１ａが書き込まれ、埋め込まれているところが本発明にいうＵＲＬ単独での取出しが自在な形式に当たる。このＵＲＬがヘッダ１７１に埋め込まれた画像が記録されたメモリカード１７がデジタルカメラ１に装填され、このデジタルカメラ１が再生モードに切り換えられたら、再生モード時に画像に埋め込まれたＵＲＬ１７１ａがデジタルカメラ１の再生装置によって取り出される。
【００３７】
図４は図１の構成に加え、再生装置廻りの構成を詳細に示した図である。
【００３８】
図４には主にそのＵＲＬを取り出す処理を行なう部分の構成が詳細に示されている。
【００３９】
このデジタルカメラ１が有する再生モードの処理を行なう部分、つまりＣＰＵ１００、メモリカード１７、再生装置１０３、画像ヘッダ解析部１０３１、ＵＲＬ抽出部１０３２が、本発明にいう画像表示装置に当たる。本発明のデジタルカメラ１にはこの画像表示装置が内部に組み込まれている。
【００４０】
この画像表示装置による画像の再生の流れを簡単に説明する。
【００４１】
メモリカード１７に記録されている画像を再生し表示する前に画像のヘッダ１７１内の情報が再生装置１０３により取り出される。この再生装置１０３により取り出されたヘッダの情報の中には記録時の圧縮情報やＵＲＬなどがある。このヘッダの情報を画像ヘッダ解析部１０３１に供給し、ヘッダ解析部１０３１でヘッダの解析を行い、ＵＲＬ抽出部でＵＲＬの取出しが行なわれる。
【００４２】
そうしたら、ヘッダ解析部１０３１での解析結果に基づいて再生装置１０３によって画像を伸張して元の画像に戻して表示装置１８に供給するとともに、ＵＲＬを表示装置１８に供給して双方を表示画面に表示させる。この表示画面に表示されているＵＲＬを指定する操作が行なわれたら、通信装置１０４を介してそのＵＲＬいわゆるインターネットアドレスをサーバ側に供給する。
【００４３】
そしてそのインターネットアドレスによりサーバ側との通信状態が確立したらＵＲＬが示す情報を、通信装置１０４を使って取得し、その取得した情報を再生装置１０３によって再生し、表示装置に供給してその情報に基づく画像を表示画面に表示する。
【００４４】
本発明にいうＵＲＬが埋め込まれた画像を取得する画像取得手段が再生装置１０３に当たり、その画像取得手段で取得した画像を表示する画像表示手段が表示装置１８に当たり、さらにその画像取得手段で取得した画像に埋め込まれたＵＲＬで示された情報を取得する通信手段が通信装置１０４に当たる。
【００４５】
図５は図１のデジタルカメラ１が通信装置１０４を介してローカルネットワークに接続した状態を示す図である。
【００４６】
このローカルネットワークはサーバ２００により管理されており、クライアントであるデジタルカメラがそのサーバにアクセスを許されたら、サーバの中の情報の取得を自在に行なえるようになる。
【００４７】
まずデジタルカメラ１でどのようにＵＲＬの書き込みが行なわれる場合を説明する。
【００４８】
クライアントであるこのデジタルカメラ１をネットワークに接続し、そのネットワークのサーバ２００を示すＵＲＬの書き込みがデジタルカメラ１内のＵＲＬ入力装置１０６によって行なわれる。たとえばユーザが動物園に出かけて動物を撮影し、その動物に関する情報を図５に示すローカルネットワーク上で得たいと思ったときには、このＵＲＬ入力装置によってその動物の情報を有するサーバを示すＵＲＬが画像のヘッダに書き込まれる。この書き込みによって画像のヘッダにＵＲＬが埋め込まれる。
【００４９】
このヘッダにＵＲＬが埋め込まれた画像を表示画面に再生表示したときに画像のヘッダに埋め込まれたＵＲＬを取出し、画像とともにＵＲＬを再生して画像表示装置の表示画面に表示させる。たとえばその表示されているＵＲＬを操作により指定することができるようにしておくと、通信装置１０４を介してネットワークを経由してＵＲＬが示すサーバにアクセスし、そのサーバの中の情報を通信装置１０４により取得して再生装置１０３によって表示装置１８の表示画面に表示することができる。このようにしておくと、自分の画像とサーバの中の情報とを切り換えたり、また同時に表示させたりすることができる。
【００５０】
このように画像記録媒体であるメモリカード１７にＵＲＬを埋め込むことによって、簡単にサーバから情報を取得することができる。
【００５１】
以上は、ローカルネットワークにデジタルカメラを接続した場合の例である。ネットワークの中には公開情報たとえばホームページなどを持つ公開ネットワークもある。
【００５２】
インターネットなどのような公開ネットワークの場合には、そのネットワーク上に多数のサーバが存在し、それらサーバがそれぞれホームページと呼ばれる公開情報を持っている。図６，７にはこのホームページなどの公開情報を取得する場合の例が示されている。ユーザがたとえば動物園に出かけて、園内の動物をこのデジタルカメラによって撮影したときに、その動物の情報をその動物園が開いているホームページから得たいと思ったとする。その場合には、サーバが有する動物園のホームページを示すＵＲＬたとえばＨＴＴＰ／／ＷＷＷ．ｚｏｏ．ｃｏ．ｊｐ／／ａｎｉｍａｌ／／…というようなＵＲＬをＵＲＬ入力装置によって撮影した画像のヘッダに埋め込めば良い。
【００５３】
ただし、このときには公開ネットワークに撮影した画像が流出する恐れがあるため、少々扱いが難しくなる。そこで、ここではネットワーク上に数多く存在するサーバのいずれかのサーバとの間で確実な接続を得るために、そのホームページを有するサーバに暗号化用の鍵を要求してその鍵によって画像を暗号化してからＵＲＬの埋め込みが行なわれる。
【００５４】
図６はサーバクライアント方式の暗号化の手続きを示す図である。
【００５５】
図６に示すように、クライアントであるデジタルカメラ１とサーバ２００との間でプロトコルに基づいて接続を確立させるためのたとえばＳＳＬ認証が行なわれる。このＳＳＬとはＷＷＷサーバとＷＷＷプラウザつまりクライアント側とで行なわれる認証のプロトコルである。このＳＳＬ認証が確立して接続された後、暗号化が行われる。
【００５６】
まず、手順１でクライアントであるデジタルカメラ１側からサーバ２００に向けて画像を暗号化するための鍵を要求する。この鍵を要求する処理を行なうプロセスは、デジタルカメラ内部のたとえばＣＰＵ内のＲＯＭ内にあるプログラム中に記述されている。手順２でサーバ２００から鍵が発行されたら、デジタルカメラ１は、その鍵を受け取り、手順３でその鍵に基づいて画像をＣＰＵによって暗号化する。さらに手順４でヘッダ入力装置によりヘッダにＵＲＬを書き込んで画像内にＵＲＬを埋め込み、手順５でそのＵＲＬが埋め込まれた画像をメモリカードに保存する。
【００５７】
ここまでが暗号化の手順の流れである。
【００５８】
図７は画像が暗号化された後、メモリカード１７にＵＲＬが埋め込まれた状態を示す図である。
【００５９】
図７に示すように暗号化された画像１７２ａが記録され、ヘッダ１７０にＵＲＬ１７１が埋め込まれている。このときにはサーバ２００に暗号の鍵を預けたままになるので再びこのサーバにアクセスして鍵を受け取らない限り、暗号化された画像が複合化されない。
【００６０】
このようにすることで、画像がネットワーク上のどこかの画像表示装置によって再生表示されるといった恐れがなくなる。
【００６１】
以降復号化の手順を説明する。
【００６２】
図８は復号化の手順を示す図である。
【００６３】
復号化を行なうに当たって、このデジタルカメラ１を再生モードに切り替え、手順１で画像の読み出しが行なわれ、手順２でその読み出した画像のヘッダ内のＵＲＬの取出しが行なわれる。
【００６４】
そしてそのＵＲＬが示すサーバ２００とクライアント１の間でＳＳＬ認証が行なわれ、接続が確立される。
【００６５】
その後、手順３でサーバ２００に暗号化された画像を復号化するための鍵を要求する。このときには既にＵＲＬがサーバに供給され接続が確立しており、このＵＲＬが鍵の場所を示すものでもあるので、サーバからそのＵＲＬで指定された場所にある鍵が手順４で発行される。そうしたら手順５でその鍵によりＣＰＵによって画像の復号化を行なって表示画面に画像とＵＲＬ双方を表示する。さらに、ＵＲＬが示すサーバ内の情報が取得され、表示画面に表示される。
【００６６】
このように、暗号の鍵はサーバに存在し、かつ画像にＵＲＬが埋め込まれ、そのＵＲＬが示すサーバが指定されているので、ユーザは鍵を意識する必要がない。したがって、ユーザは鍵の存在を意識することなく、安全に画像を扱うことが可能になる。
【００６７】
以上説明したように撮影した画像を簡単な操作でネットワーク上のデータベースの情報に結び付けて記録することができる画像記録媒体、また画像記録媒体に記録された画像と、その画像に結び付けられたデータベース内の情報を関連付けて再生表示することができる画像表示装置、それらメモリカードと画像表示装置とを備えたデジタルカメラが実現され、情報収集用の携帯機器としてデジタルカメラが活用される。
【００６８】
上記例ではデジタルカメラにメモリカードが装填された場合の例を示したが、メモリカードにＵＲＬが埋め込まれていることを考えればデジタルカメラで画像を再生表示しなくても、ＰＣを画像表示装置として使用することも考えられる。
【００６９】
図９は、図７の画像を有するメモリカード１７をＰＣ３００に装填し、そのＰＣ３００をネットワークに接続し、ＷＥＢサーバ４００に接続した場合を示す図である。
【００７０】
ＵＲＬ付きの画像が記録されたメモリカードがＰＣに装填されたら、そのメモリカード内の画像をアプリケーションソフト３００ａによって読み出し、その読み出した画像のＵＲＬを取り出す。ＰＣの表示画面上にそのＵＲＬを表示し、前述したデジタルカメラと同様にそのＵＲＬを指定する操作を行なう。例えばアプリケーションソフト３００ａにそのＵＲＬを操作により指定するとともに鍵の発行を要求するソフトを作成しておけば、デジタルカメラ１と同様の効果が得られる。
【００７１】
図９にはＷＥＢサーバからＵＲＬで示されたＷＥＢページがダウンロードされたＷＥＢページが表示装置の表示画面に表示された状態が示されている。
【００７２】
またＰＣ３００の場合にはＰＣ３００内にインストールされているアプリケーションソフトが多数あるので、これを活用すればダウンロードしたＷＥＢページの情報とメモリカード内の画像双方を表示画面に表示し、これらを合成したり、文章を追加したりすることでユーザは簡単に情報の編集を行なえる。
【００７３】
なお、本実施形態ではＵＲＬを入力装置により入力する構成を説明したが、たとえば製品などに画像記録媒体を添付することが最近多いのでこれを利用し、画像記録媒体にＵＲＬを埋め込んでおき、ユーザがその画像記録媒体を画像表示装置で再生したときに、ユーザによって操作によりＵＲＬが指定されたら製品の詳細情報や他の製品の宣伝情報が表示されるようなものであっても良い。
【００７４】
また、画像記録媒体にＵＲＬ、例えばその画像記録媒体を現像する写真店が開いているホームページなどのＵＲＬを埋め込んでおけば、プリントの予約を、サーバを介して行なうこともできる。
【００７５】
また、ＵＲＬが示すサーバは、ストレージであっても個人ウエブであっても良い。
【００７６】
また、図５に示すローカルエリアにおいても図６、図８の暗号化の仕組みを適用することは可能である。
【００７７】
さらに本実施形態ではデジタルカメラに画像表示装置を組み込んだ例を示したがデジタルカメラと画像再生装置とが別体であっても良い。
【図面の簡単な説明】
【００７８】
【図１】本実施形態であるデジタルカメラの外観を示す図である。
【図２】本実施形態であるデジタルカメラの構成を示す図である。
【図３】画像記録媒体に記録された画像の構成を示す図である。
【図４】本実施形態であるデジタルカメラが有する画像表示装置の構成を示す図である。
【図５】デジタルカメラをローカルネットワークに接続した場合の構成を示す図である。
【図６】画像の暗号化の手順を示す図である。
【図７】図６で暗号化された画像の構成を示す図である。
【図８】画像の復号化の手順を示す図である。
【図９】ＵＲＬが埋め込まれた画像を有するメモリカードをＰＣに装填した場合の例である。
【符号の説明】
【００７９】
１    カメラ
１１    レンズ鏡胴
１２    ファインダ
１３    閃光発光窓
１４    レリーズ釦
１５    モード切替スイッチ
１６    メモリカード挿入口
１７    メモリカード
１７０    画像
１７１    ヘッダ
１７２    圧縮画像
１７２ａ    暗号化された画像
１８    表示装置
１９    スイッチ類
２００    サーバ
３００    ＰＣ
４００    ＷＥＢサーバ
【図１】
2005080186.tif 000003
【図２】
2005080186.tif 000004
【図３】
2005080186.tif 000005
【図４】
2005080186.tif 000006
【図５】
2005080186.tif 000007
【図６】
2005080186.tif 000008
【図７】
2005080186.tif 000009
【図８】
2005080186.tif 000010
【図９】
2005080186.tif 000011